(57)【要約】【課題】アンテナの方向の調整を簡単で確実に行なうことが可能な装置を得る。【解決手段】アンテナ１１、６１からの信号を受けるフロントエンド１５，６５で得られるＣ／Ｎ信号、ＢＥＲデータ、ＡＧＣ制御信号等を受信品位情報として特定し、当該情報を無線伝送によって携帯端末２７に伝送し、携帯端末２７で、伝送された受信品位情報を再生して、表示部２８で表示させるかあるいは音声出力部２９で出力する。表示されあるいは音声出力された受信品位情報を確認しながら、アンテナ１１，６１の方向を調整することで、アンテナ１１，６１を適切な方向に向けることができる。【選択図】　　　図１
2004032621.tif 000002
【特許請求の範囲】
【請求項１】
アンテナからの放送信号が供給され、当該放送信号のチャンネルを選局して受信した受信信号を復調するフロントエンド部と、
前記フロントエンド部に供給される放送信号の品位情報を前記選局あるいは復調処理の過程で生成される信号から得る手段と、
前記品位情報を無線伝送によって伝送する手段と、
を具備したことを特徴とする受信装置。
【請求項２】
前記品位情報は、搬送波電力／ノイズ電力比に基づくものであることを特徴とする請求項１に記載の受信装置。
【請求項３】
前記搬送波電力／ノイズ電力比は、前記フロントエンド部の復調出力のコンスタレーションの広がりに基いて得るものであることを特徴とする請求項２に記載の受信装置。
【請求項４】
前記品位情報は、前記受信品位情報を前記復調して得られたデジタルデータのビットエラーレートに基づいて得るものであることを特徴とする請求項１に記載の受信装置。
【請求項５】
前記品位情報は、自動利得制御信号に基づいて得るものであることを特徴とする請求項１に記載の受信装置。
【請求項６】
さらに、前記フロントエンド部で復調された信号から、音声信号を生成する手段を含み、当該音声信号を前記品位情報として伝送するものであることを特徴とする請求項１に記載の受信装置。
【請求項７】
アンテナからの信号の品位情報を無線伝送によって伝送する受信機から伝送された前記品位情報を受信する手段と、受信した品位情報を視覚的あるいは聴覚的に出力する情報出力手段を備えた携帯端末装置。
【請求項８】
アンテナからの放送信号が供給され、当該放送信号のチャンネルを選局して受信した受信信号を復調するフロントエンド部と、
前記フロントエンド部に供給される放送信号の品位情報を前記選局あるいは復調処理の過程で生成される信号に基づいて得る手段と、
前記品位情報を無線伝送によって伝送する手段とを具備した受信装置と、
前記受信装置から伝送された前記品位情報を受信する手段と、受信した品位情報を視覚的あるいは聴覚的に出力する情報出力手段を備えた携帯端末装置とでなることを特徴とする受信装置と携帯端末装置間の情報通信システム。
【請求項９】
前記受信装置が、さらに前記携帯端末装置からの情報信号を受信する受信手段を備え、前記携帯端末装置が前記受信装置の受信手段に対して情報を無線伝送する手段を備えることを特徴とする請求項７に記載の受信装置と携帯端末装置間の情報通信システム。
【請求項１０】
前記携帯端末から伝送される情報は、前記受信装置のチャンネルを切換えを含む動作を制御する情報であることを特徴とする請求項８に記載の受信装置と携帯端末装置間の情報通信システム。
【請求項１１】
アンテナからの放送信号が供給され、当該放送信号のチャンネルを選局して受信した受信信号を復調するステップと、
前記フロントエンド部に供給される放送信号の品位情報を前記選局あるいは復調処理の過程で生成される信号から得るステップと、
前記品位情報を無線伝送によって伝送するステップと、
前記伝送された前記品位情報を携帯端末で受信するステップと、
受信した品位情報を視覚的あるいは聴覚的に出力するステップと、
でなることを特徴とする受信装置と携帯端末装置間の情報通信方法。
【発明の詳細な説明】
【０００１】
【発明の属する技術分野】
本発明は、放送電波をキャッチするアンテナを、放送送信設備に対して、的確な方向に向けるための情報を無線伝送によって伝送する受信装置、伝送された情報を受信する形態端末装置、受信装置と携帯端末間で情報を通信するシステム及び通信方法に関する。
【０００２】
【従来の技術】
従来、例えば衛星放送は、周波数として１２ＧＨｚ（Ｇｉｇａ−Ｈｅｒｔｚ）帯を使うために受信アンテナとしては、パラボラアンテナが用いられる。パラボラアンテナによって放送を受信するには、その方向（仰角、方位角）を調整して、正確に衛星の方向に向けなくてはならない。
【０００３】
この目的のために、受信機には、アンテナからの信号の状態を例えばＣ／Ｎ（Ｃａｒｒｉｅｒ／Ｎｏｉｓｅ：搬送波電力対雑音電力比）で監視して、受信信号のレベルを数値化し画面表示する手段が設けられている。ユーザは、その表示された数値が最も大きくなるようにパラボラアンテナの方向を調整することで、衛星に対する向きを適切なものとすることができる。
【０００４】
アンテナが、受信機の近くに設置される場合には、ユーザは一人で、アンテナの方向の調整と受信信号レベルの確認を行うことが可能であるが、実際には、アンテナは受信機から離れた位置に設置され、ケーブルで受信機と接続されるのが一般であり、一人でその作業を行うには限界がある。そのため、実際にはアンテナの方向の調整と、受信状態の確認とをそれぞれ異なる人間が行い、互いに連絡を取り合って目的の調整を行うことが多い。
【０００５】
このように、特別な装置を用いないでパラボラアンテナの方向の調整を行おうとすると、その作業は手間の掛かるものとなる。そこで、補助となる装置を用いることで、調整をより簡単に行おうという試みが、種々なされている。
例えば、特開２００１−１８９９４７号には、受信機に受信信号品質劣化度合いに応じた、音声情報あるいは文字図形を記憶しておき、これを読み出して、電話回線を使って伝送し、調整作業を行う者が、携帯電話でその情報を得て、それに基いてアンテナの方向を調整できるようにした提案が開示されている。
【０００６】
これによれば、パラボラアンテナの設置位置にいる作業者に、受信状態を示す情報が電話回線でフィードバックされるので、作業者はその情報を聴覚的あるいは視覚的に確認することによって最も受信状態が良くなる向きにアンテナを調整することができるもので、一人の作業でのアンテナ据付作業が可能である。
【０００７】
しかしながら、この提案では、電話による伝送設備が必要で、伝送する情報も限られたものとなり、コストの割には利用価値が高くないということが予想される。
【０００８】
【発明が解決しようとする課題】
以上のように、従来、アンテナの方向を調整する際に、受信信号状態を示す情報を作業者にフィードバックすることで、作業者一人での調整を可能にした装置も提案されているが、伝送される情報が限られたものとなり、満足の得られるものではなく、さらなる改良が求められている。
【０００９】
本発明は、以上の点に対処してなされたものであり、伝送手段としてＢｌｕｅｔｏｏｔｈ（ブルートゥース：登録商標）等の無線伝送手段を使うことで、伝送する情報の多様化と双方向化を実現して、アンテナの方向の調整をより的確に行うことが出きる受信装置、携帯端末装置、受信装置と携帯端末間の情報通信システム及び情報通信方法を提供することを目的とする。
【００１０】
【課題を解決するための手段】
本発明の、受信装置は、アンテナからの放送信号が供給され、当該放送信号のチャンネルを選局して受信した受信信号を復調するフロントエンド部と、前記フロントエンド部に供給される放送信号の品位情報を前記選局あるいは復調処理の過程で生成される信号から得る手段と、前記品位情報を無線伝送によって伝送する手段とを具備したことを特徴とする。
【００１１】
本発明によれば、無線伝送によって品位情報を伝送するようにしたので、これを携帯端末装置で受信して出力することにより、アンテナの方向の調整を簡単にかつ確実に行うことができるものである。
また、本発明の携帯端末装置は、アンテナからの信号の品位情報を無線伝送によって伝送する受信機から伝送された前記品位情報を受信する手段と、受信した品位情報を視覚的あるいは聴覚的に出力する情報出力手段を備えたことを特徴とする。
本発明によれば、無線伝送によって伝送される品位情報を受信して出力することにより、アンテナの方向の調整を簡単にかつ確実に行うことができるものである。
また、本発明の受信装置と携帯端末装置間の情報通信システムは、アンテナからの放送信号が供給され、当該放送信号のチャンネルを選局して受信した受信信号を復調するフロントエンド部と、前記フロントエンド部に供給される放送信号の品位情報を前記選局あるいは復調処理の過程で生成される信号に基づいて得る手段と、前記品位情報を無線伝送によって伝送する手段とを具備した受信装置と、前記受信装置から伝送された前記品位情報を受信する手段と、受信した品位情報を視覚的あるいは聴覚的に出力する情報出力手段を備えた携帯端末装置とでなることを特徴とする。
【００１２】
本発明によれば、無線伝送によって品位情報を伝送するようにし、携帯端末で受信して出力することにより、アンテナの方向の調整を簡単にかつ確実に行うことができるものである。
また、本発明の受信装置と携帯端末装置間の情報通信方法は、アンテナからの放送信号が供給され、当該放送信号のチャンネルを選局して受信した受信信号を復調するステップと、前記フロントエンド部に供給される放送信号の品位情報を前記選局あるいは復調処理の過程で生成される信号から得るステップと、前記品位情報を無線伝送によって伝送するステップと、前記伝送された前記品位情報を携帯端末で受信するステップと、受信した品位情報を視覚的あるいは聴覚的に出力するステップとでなることを特徴とする。
【００１３】
本発明によれば、無線伝送によって品位情報を伝送するようにし、携帯端末で受信して出力することにより、アンテナの方向の調整を簡単にかつ確実に行うことができるものである。
【００１４】
【発明の実施の形態】
以下、図面を参照しながら本発明の実施の形態を詳細に説明する。
図１は、本発明の受信装置の一実施の形態を備えたテレビジョン受信機１０のブロック図である。
パラボラアンテナ１１は、支持手段１２によって所定の設置場所に取り付けられる。パラボラアンテナ１１には、放送電波の周波数を変換するためのコンバータ１１ａが設けられ、ここで１ＧＨ帯の信号に変換されて、ケーブル１３を介して受信機１０のアンテナ入力端子１４に供給される。
【００１５】
アンテナ入力端子１４に供給された信号は、フロントエンド１５に導かれ、ここで、チヤンネルの選択と、復調及び誤り訂正が行われる。
すなわち、衛星放送では、放送信号がＱＰＳＫや８ＰＳＫ等のＰＳＫ（Ｐｈａｓｅ　Ｓｈｉｆｔ　Ｋｅｙｉｎｇ：位相変調）方式で変調されており、選局されたチャンネルの受信信号は、ここでＰＳＫの復調が行われ、さらに誤り訂正（ＦＥＣ：Ｆｏｒｗａｒｄ　Ｅｒｒｏｒ　Ｃｏｒｒｅｃｔｉｏｎ）が施されてＭＰＥＧ（Ｍｏｖｉｎｇ　Ｐｉｃｔｕｒｅ　Ｅｘｐｅｒｔｓ　Ｇｒｏｕｐ）２のＴＳ（Ｔｒａｎｓｐｏｒｔ　Ｓｔｒｅａｍ）として出力され、デコード部１６に導出される。デコード部１６では、ＭＰＥＧ−ＴＳから所定の番組の映像データ及び音声データが分離抽出され、さらに抽出された映像データ及び音声データに対してそれぞれＭＰＥＧ２の復号が行われ、復号された信号が映像／音声信号処理部１７に導出される。
【００１６】
映像／音声信号処理部１７では、映像信号に対しては、ＯＳＤ（Ｏｎ　Ｓｃｒｅｅｎ　Ｄｉｓｐｌａｙ）等の処理が行われ、さらにアナログ信号に変換されてモニタ部１８に供給されて表示部で表示される。また、音声信号に対しても、所定の処理が施された後、アナログ信号に変換されて、モニタ部１８に供給され、スピーカ等によって音声出力される。
【００１７】
以上説明した、テレビジョン受像機１０の各ブロックは、モニタ部１８を除いて、共通のバス１９に接続され、同じくバス１９に接続されたＣＰＵ２０によって制御される。
また、バス１９には、ＣＰＵ２０の動作を補助するためのメモリ２１が接続され、さらにユーザの操作によって、受信機１０の動作、機能を設定するための入力部２２が接続されている。入力部２２は、受像機１０の筐体前面に設けられた、複数のスイッチで構成されるか、あるいは、図示しないリモートコントロールハンドユニットからのリモコン信号を受けるリモコン受信部として構成される。
【００１８】
ユーザの操作によって入力部２２からの信号がバス１９を介して、ＣＰＵ２０に供給され、フロントエンド１５でのチャンネル切換の他、映像／音声信号処理部１７での映像信号及び音声信号の調整等が行われる。
また、ＣＰＵ２０は、バス１９を介してフロントエンド１５での復調、誤り訂正、さらにデコード部１６での復号処理を制御する。
さらに、受信機１０には、この発明の要部を構成するブルートゥース送受信部２３が設けられている。
ブルートゥース送受信部２３は、バス１９に接続されたベースバンド処理部２４とＲＦ（Ｒａｄｉｏ　Ｆｒｅｑｕｅｎｃｙ）部２５とアンテナ２６を含む。
ベースバンド処理部２４は、ＣＰＵ２０の制御の下に、フロントエンド１５から供給される後述する受信信号の品位を表す情報を、デジタル信号に変換すると共に、ブルートゥース通信用パケットにパケット化し、さらに誤り訂正符号化処理を行ってＲＦ部２５に導出する。また、ＲＦ部２５から得られるブルートゥース信号を、受像機１０で扱うための信号に変換する。
【００１９】
ＲＦ部２５では、ＣＰＵ２０の制御の下、ベースバンド処理部２４から供給されるデータに基づき、２．４ＧＨｚ帯の搬送波をＧＦＳＫ（Ｇａｕｓｓｉａｎ　ＦｒｅｑｕｅｎｃｙＳｉｆｔ　Ｋｅｙｉｎｇ：ガウス周波数シフトキーイング）方式で変調すると共に、その搬送波周波数をホッピング方式でホップさせてアンテナ２６を介して送信する。また、ＲＦ部２５では、アンテナ２６を介して受信した２．４ＧＨｚ帯の搬送波に対してＧＦＳＫ復調を行い、データを取出してベースバンド処理部２４に供給する。
【００２０】
さらに、この発明では、ブルートゥース送受信部２３と信号の送受信を行う携帯端末２７が設けられている。携帯端末２７は、送信されたデータから文字、記号等の表示用の信号を得てこれを表示する表示部２８と、送信されたデータから音声信号を得てこれを出力する音声出力部２９と、データを入力するための操作入力部３０を有する。
【００２１】
携帯端末２７は、受信機１０のブルートゥース送受信部２３と、ＡＣＬ（Ａｓｙｎｃｈｒｏｎｏｕｓ　Ｃｏｎｎｅｃｔｉｏｎ　Ｌｉｎｋ：非同期接続リンク）で結合されることで、表示用のデータの送受信を行い、ＳＣＯ（Ｓｙｎｃｈｒｏｎｏｕｓ　Ｃｏｎｎｅｃｔｉｏｎ　Ｏｒｉｅｎｔｅｄ　Ｌｉｎｋ：同期接続リンク）で結合されることにより、音声データの送受信を行う。ブルートゥース規格では、送受信機の一方をマスタ、他方をスレーブとして構成するが、図１において、送受信部２３と携帯端末２７のうちどちらをマスタにしても差し支えない。
【００２２】
図２に、本発明の携帯端末装置の一実施の形態の回路ブロックを示す。
なお、図２において、図１と同一構成部分に同一番号を付す。
図２において、携帯端末２７は、アンテナ３１、ＲＦ部３２、ベースバンド処理部３３を備え、それぞれ、信号を送受するように接続されると共に、バス３４に接続されている。バス３４には、ＣＰＵ３５が接続され、ブルートゥース信号の処理を制御している。さらに、バス３４には、操作入力部３０と、ＬＣＤ（Ｌｉｑｕｉｄ　Ｃｒｙｓｔａｌ　Ｄｉｓｐｌａｙ）で構成された表示部２８と、スピーカで構成された音声出力部２９が接続されると共に、ＣＰＵ３５の処理を補助するメモリ３６が接続されている。
【００２３】
アンテナ３１は、ＲＦ部３２と接続され、周波数ポッビングされた搬送波を送信し、かつ受信する。
ＲＦ部３２は、受信機１０の送受信部２３のＲＦ部２５と同様に、ＣＰＵ３５の制御の下に、ベースバンド処理部３３からのデータに基づき、２．４ＧＨｚ帯の搬送波をＧＦＳＫ変調し、さらに搬送周波数を周波数ホッピング方式でホップさせてアンテナ３１に送出し、アンテナ３１を介して受信した信号から２．４ＧＨｚ帯の搬送波をＧＦＳＫ復調しデータを取出してベースバンド処理部３３に供給する。
【００２４】
ベースバンド処理部３３は、操作入力部３０から入力されるデータをブルートゥース通信用パケットにパケット化し、さらに誤り訂正符号化処理を行ってＲＦ部３２に導出する。また、ＲＦ部３２から得られるブルートゥース信号を、表示部２８で表示したりあるいは、音声出力部２９から音声として出力するための処理を行う。さらに、ベースバンド処理部３３は、操作入力部３０から入力されるデータをそのまま、表示部２８で表示するための処理も行う。
【００２５】
さて、以上のように構成された装置において、アンテナの方向の調整を行なうための各構成部分の動作を説明する。
ブルートゥース送受信部２２には、フロントエンド１５から、アンテナ入力端子１４に供給された受信信号の品位を表す信号が供給されれる。
フロントエンド１５から例えば、Ｃ／Ｎの傾向を示すＣ／Ｎ表示信号が供給される。Ｃ／Ｎ表示信号は、フロントエンド１５で例えば、ＱＰＳＫ復調が行われるとすれば、その復調出力におけるコンスタレーション（Ｃｏｎｓｔｅｌｌａｔｉｏｎ）の広がりを検出することでノイズ量の情報を得てＣ／Ｎ表示信号とすることができる。
【００２６】
すなわち、図３はコンスタレーションについて説明する特性図で、図３（ａ）が理想的なコンスタレーションを示し、入力信号のノイズが復調に全く影響を与えない状態を表しており、この状態ではＣ／Ｎが大きい。これに対して図３（ｂ）は、コンスタレーションが広がりを持った状態を示しており、ノイズのレベルが大きくＣ／Ｎが小さい状態である。
【００２７】
すなわち、コンスタレーションの広がりが大きいとノイズが多い（Ｃ／Ｎが小さい）、広がりが小さいほどノイズが少なくＣ／Ｎが大きいことになる。この情報はＣ／Ｎ値そのものを表しているわけではないが、ソフトウエア処理により数値を加工することでＣ／Ｎ相当の値を表示させることが可能である。しかし、アンテナの方向を調整するにはＣ／Ｎの大小が分かれば十分である。コンスタレーションの広がりの検出はＱＰＳＫの他に８ＰＳＫ，ＢＰＳＫ，ＱＡＭ，ＶＳＢなど他のデジタル変調方式でも同様に行える。
【００２８】
このＣ／Ｎ表示信号は、フロントエンド１５から、受信信号の受信レベルを数値で表す信号として出力され、ベースバンド処理部２４において、ブルートゥースベースバンド信号に変換されて、ＲＦ部２５に供給される。
ＲＦ部２５において、ＧＦＳＫ変調が行なわれ、さらに搬送波の周波数がホップされてアンテナ２６を介して送信される。
送信されたブルートゥースＲＦ信号は、携帯端末２７のアンテナ３１で受信され、ＣＰＵ３５の制御によって、ＲＦ部３２でＧＦＳＫ復調されブルートゥースベースバンド信号となり、さらに表示部２８で表示可能な元のＣ／Ｎ表示信号に変換され、表示部２８で表示される。
【００２９】
表示部２８での表示の例を図４に示す。すなわち、Ｃ／Ｎ表示信号は、現在の受信レベルが最高値１００に対してどのようなレベルにあるかが表示される。
図４においては、「アンテナレベル８３」のように表示され、さらに、数値と同時に、アンテナレベルがバーグラフ的にアナログ表示されている。
パラボラアンテナ１１の支持手段１２を動かして、仰角と方位角を調整すると、それに応じて、受信レベルが変動し、フロントエンド１５から出力されるＣ／Ｎ表示信号の値が変動する。それによって、ブルートゥース送受信部２３を介して送信され、携帯端末２７で受信されて、表示部２８で表示される数値も変動する。
【００３０】
アンテナの方向を調整する作業者は、携帯端末２７の表示部２８に表示される数値を見ながら、支持手段１２による支持状態を変移させ、最も大きな数値が表示された位置で、固定するすれば、アンテナの方向の調整作業が完了する。
以上のように、図１、図２及び図４に示すこの発明の実施の形態においては、アンテナ１１の受信信号の品位を示す信号をブルートゥース信号によって伝送して、携帯端末で確認しながら、パラボラアンテナ１１の方向の調整を行うようにしたので、作業を簡単にかつ確実に行うことができるものである。
【００３１】
以上説明した、本発明の実施の形態では、アンテナ入力端子１４に供給される受信信号の信号レベルをＣ／Ｎで監視して所定の数値に変換してブルートゥース信号として伝送し、表示するようにしているが、受信信号の品位を監視するには、Ｃ／Ｎの他にも、種々の情報を利用することができる。
【００３２】
すなわち、例えば、フロントエンド１５で復調し、誤り訂正を施す前あるいは、誤り訂正を施した後のＴＳのＢＥＲ（Ｂｉｔ　Ｅｒｒｏｒ　Ｒａｔｅ：ビット誤り率）を用いて、それを受信信号レベルを表す数値に変換してブルートゥース信号として伝送するようにしてもよい。
【００３３】
さらには、フロントエンド１５に含まれるＡＧＣ（Ａｕｔｏｍａｔｉｃ　ｇａｉｎ　Ｃｏｎｔｒｏｌ）回路の、ＡＧＣ制御信号のレベルに応じたデータを受信レベルを表す信号に変換するように構成してもよい。
さらには、それらの受信信号レベルを表す信号を、表示用の信号としてではなく、音声信号に変換し、ブルートゥース信号として伝送し、それを携帯端末で受信して、音声出力部２９から出力するように構成することもできる。
また、映像／音声信号処理部１７で得られる音声信号をそのままブルートゥース信号に変換して伝送し、携帯端末２７で音声として出力して品位を確認するように構成することもできる。
以上の作業手順を図５のフローチャートでさらに説明する。
ステップ５ａで開始され、ステップ５ｂで放送チャンネルの選局が行われ、ステップ５ｃで受信信号の品位を示す情報を検出する。次いで、ステップ５ｄで品位情報をブルートゥース信号に変換し、ステップ５ｅでブルートゥース信号を送信する。
【００３４】
送信されたブルートゥース信号を、ステップ５ｆで、携帯端末２７により受信し、ステップ５ｇで受信したブルートゥース信号を表示用の信号に変換する。次いで、ステップ５ｈで受信品位情報を表示し、ステップ５ｉで表示された受信品位情報に基づき、品位が最も高いか否かが判定され、品位が高くなかったら、ステップ５ｊでアンテナ１１の向きを調整し、ステップ５ｃに戻り、ステップ５ｉで受信品位が最も高くなったことが判定されるまで、ステップ５ｊでのアンテナ１１の向きの調整が行われる。
【００３５】
ステップ５ｉで品位が最高になったらステップ５ｋで終了となる。
以上のようにして、アンテナ１１の方向の調整を行うことができるが、衛星放送は、複数のチャンネルで放送されており、各チャンネルそれぞれについて、最良の受信状態が得られるように調整することも可能である。
それには、携帯端末２７を、ブルートゥースを利用した受信機１０のリモコンハンドユニットとして構成することで可能でる。
すなわち、図２において、操作入力部３０から入力したリモコンのフォーマットを有する信号を、ＣＰＵ３５の制御の下に、ベースバンド処理部３３でブルートゥース信号に変換して、ＲＦ部３２、アンテナ３１を介して受信機１０のブルートゥース送受信部２３に伝送し、受信した信号を元のリモコン信号に変換してＣＰＵ２０に供給して、受信機１０の動作を制御するように構成すればよい。
【００３６】
以上のように構成することにより、チャンネルを切換えるリモコン信号をブルートゥース信号として伝送すれば、携帯端末２７でフロントエンド１５のチャンネルを変えることが可能となり、各チャンネル毎に、図５で示す手順でアンテナの方向を調整することができるものである。
【００３７】
その手順を、図６のフローチャートに示す。
図６において、図５のフローチャートと異なる点は、ステップ６ｉで品位が最も高いことが判定されたら、ステップ６ｋでそのチャンネルが最後のチャンネルであるか否かの判定がなされるステップが加わった点である。
すなわち、ステップ６ｋで、最後のチャンネルでなかったら、ステップ６ｂに戻って、新たな放送チャンネルの選局が行われ、最後のチャンネルであったら、ステップ６ｌで終了となる。
図６のフローチャートに示す手順によれば、アンテナの方向を各チャンネル全てに亘って最適なもにとすることができるため、良好な受信状態を達成することができる。
以上のように、図２に示す携帯端末２７は、ブルートゥースを利用したリモコンハンドユニットとしても、構成することができるため、チャンネル切換の他に、音量の調整、受信機の電源オンオフ制御等の機能を組み込むように構成することも可能でる。そのようにすれば、一般に広く使われている赤外線を用いたリモコンシステムに採って代わることも可能である。
【００３８】
なお、本発明は、図１に示す衛星放送受信用のパラボラアンテナの方向を調整するばかりでなく、将来実施予定の地上波デジタル放送用の受信アンテナの方向調整にも適用できるものである。
図７は、地上波デジタル放送受信機７０に適用した本発明の実施の形態を示すもので、図１の構成部分と同一部分に同じ符号を付けて詳細な説明は省略する。
図７においては、地上波受信用のアンテナ７１が、支持手段７２で所定の取付け位置に取付けられている。アンテナ７１は、この場合、一般の地上波放送受信用のものと同じ八木アンテナであり、キャッチした信号はケーブル７３を介して、入力端子７４に供給される。
【００３９】
フロントエンド７５は、チャンネルの選局と、それによって受信した信号の復調を行なう。ここでは、受信チャンネル周波数が、図１に示す衛星放送受信用のフロントエンド１５と異なる。さらに地上波デジタル放送は、変調方式がＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ：直交周波数分割多重）変調であるため、復調部もその復調を行う。復調された信号は、誤り訂正が施されて、ＭＰＥＧ２のＴＳとしてデコード部１６に供給される。他の構成は、図１と実質同一である。
【００４０】
この地上波デジタル受信機７０においても、フロントエンド７５から出力されるＣ／Ｎ信号、ＢＥＲ、ＡＧＣ制御信号等から、受信信号の信号レベルを示す受信品位情報を得て、これをブルートゥース送受信部２３でブルートゥース信号に変換して携帯端末２７に伝送し、その表示部２８で表示して確認しながらアンテナ７１の方向を調整することが可能である。
【００４１】
以上説明したように、本発明によれば、アンテナからケーブルを介してフロントエンドに供給される受信信号の品位を示す情報を、Ｃ／Ｎ、ＢＥＲ、ＡＧＣ制御信号等を用いて監視し、無線伝送によって携帯端末に伝送し、携帯端末で伝送された品位情報を表示あるいは音声として出力して受信信号品位を確認しながら、アンテナの方向調整を行なうことができるため、アンテナの位置の調整を確実に実行させることができるものである。
【００４２】
【発明の効果】
以上のように、本発明によれば、アンテナから供給される受信信号の品位を示す情報を、無線伝送によって携帯端末に伝送し、携帯端末でその品位情報を、表示あるいは音声で出力するようにしたので、大掛かりな設備を用いることなく、アンテナの方向の調整を簡単にかつ確実に行なうことができるものである。
【図面の簡単な説明】
【図１】本発明に係る、受信装置の一実施の形態を示すブロック図。
【図２】本発明に係る、携帯端末装置の一実施の携帯を示すブロック図。
【図３】品位情報の１つであるＣ／Ｎ情報を得るためのコンスタレーションを示す図。
【図４】図２に示す装置の動作を説明するための図。
【図５】本発明に係る、受信装置と携帯端末装置間の情報通信システムの一実施の形態の動作を説明するためのフローチャート。
【図６】本発明に係る、受信装置と携帯端末装置間の情報通信システムの他の実施の形態の動作を説明するためのフローチャート。
【図７】本発明に係る、受信装置の他の実施の形態を示すブロック図。
【符号の説明】
１０，６０…受信機
１１，６１…アンテナ
１２，６２…支持手段
１３，６３…ケーブル
１４，６４…アンテナ入力端子
２７…形態端末
２８…表示部
２９…音声出力部
３０…操作入力部
【図１】
2004032621.tif 000003
【図２】
2004032621.tif 000004
【図３】
2004032621.tif 000005
【図４】
2004032621.tif 000006
【図５】
2004032621.tif 000007
【図６】
2004032621.tif 000008
【図７】
2004032621.tif 000009